(57)【要約】【課題】  仕掛けの糸を認識させることなく、しかも構造が簡単で且つ操作が簡単である手品具を提供すること。【解決手段】  引き出し１０を収容する開口部が一箇所の本体ケース２０と、前記引き出し１０又は前記本体ケース２０の一箇所に一端が固定された糸３０とから成り、前記糸３０が、前記本体ケース２０内からケース２０の外部に出た構成となっている。【選択図】  図８
2005080753.tif 000002
【特許請求の範囲】
【請求項１】
引き出しを収容する開口部が一箇所の本体ケースと、前記引き出し又は前記本体ケースの一箇所に一端が固定された糸とから成り、
前記糸は、前記本体ケース内からケース外部に出ていることを特徴とする手品具。
【請求項２】
前記引き出しの後方壁を上方向にスライド可能な構造とし、前記後方壁を上方向にずらして当該後方壁の下端に隙間をつくり、この隙間に前記糸の一端を入れた状態で前記後方壁をおろすことにより、当該糸の一端を前記後方壁と前記引き出しの底面とで挟んで固定したことを特徴とする請求項１に記載の手品具。
【請求項３】
前記引き出しは、予め収納物を収納可能な内側収納ケースと、当該内側収納ケースを収容する外側引き出しケースとから成る二重構造であり、前記外側引き出しケースの後方から前記内側収納ケースをスライドして引き出すことができるよう構成され、
前記本体ケースから前記引き出しを開く際に、前記本体ケースの外部からの操作により、前記外側引き出しケースのみを前記本体ケースから引き出す操作、あるいは前記内側収納ケースを収容した状態で外側引き出しケースを前記本体ケースから引き出す操作の何れか一方を実行することができることを特徴とする請求項１に記載の手品具。
【請求項４】
前記内側収納ケースの後方壁を上方向にスライド可能な構造とし、前記後方壁を上方向にずらして当該後方壁の下端に隙間をつくり、この隙間に前記糸の一端を入れた状態で前記後方壁をおろすことにより、当該糸の一端を前記後方壁と前記内側収納ケースの底面とで挟んで固定したことを特徴とする請求項３に記載の手品具。
【発明の詳細な説明】
【技術分野】
【０００１】
本発明は、操作者の手の上で独りでに動き、独りでに立ち上がるのみならず、空の状態であったはずの引き出しが独りでに開くと、その中には何らかの物が入っているという不可思議さを観覧者に与えることのできる箱形の手品具に関するものである。
【背景技術】
【０００２】
従来、マッチ箱を糸で操り、マッチ箱が手の上で独りでに動き出したり、立ち上がったりするという手品は存在していた。このような手品を行う場合には、まず、例えば図１４（ａ）のように、マッチ箱の外箱の一端側に糸の一端を取り付け、しかる後に、この状態で引き出し箱を図中矢印方向から糸と共に挿入する。こうして、この糸が引き出し箱の周りを長手方向に回るようにして当該引き出し箱を外箱に挿入し、この手品用の道具を組み立てる。そして、この糸を例えば中指と薬指との間を通し、且つ、糸の他端をズボンのベルトやコート等に固定する。このとき図１４（ｂ）のように、糸が操作者の手前に向かって外箱の内部を通り、操作者の手前で縦方向に露出し、さらに操作者の手前から前方に向かって外箱の内部を通っており、これによって糸が引き出し箱の周りを長手方向に回った状態となるように、手の上にマッチ箱を置く。
【０００３】
以上のようにしてマッチ箱を手の上にセットした状態において操作者が手をゆっくりと前方に動かすと、このマッチ箱は糸によって前方に引っ張られるため、手の先の方へ動き出す。そして、中指と薬指との間の指の付け根のあたりに移動してくると、糸によって引っ張られたマッチ箱は手の上で立ち上がり、さらなる引っ張りによって、立ち上がったマッチ箱は手の上で前に倒れ、さらには、操作者の手前側から引き出し箱が出てくる。こうして、マッチ箱が独りでに動き、立ち上がり、開くといった不可思議さを観客に与えることができる。
【０００４】
尚、上記のような従来の手品具は、下記先行技術文献に開示されている。
【非特許文献１】マーティン・ガードナー（Martin Gardner）著，「エンサイクロペディア  オブ  インプロンプテュ  マジック（Encyclopedia of Impromptu Magic）」，（米国），マジック・インク（Magic Inc.），1978年，p.351
【発明の開示】
【発明が解決しようとする課題】
【０００５】
しかしながら、従来のようにマッチ箱を使用した場合、中指と薬指との間を通る糸が図１４（ｂ）のように観覧者側に存在するため、観覧者から糸が見えてしまうといった不都合が生じてしまう。また、従来のマッチ箱による手品では、単にマッチ箱が動いたり開いたりするだけで、それ以上の不可思議さを観覧者に与えることが無く、エンターテイメント性に欠けていた。
【０００６】
そこで本発明の目的は、操作者の手の上で独りでに動き、独りでに立ち上がるのみならず、空の状態であったはずの引き出しが独りでに開くと、その中には何らかの物が入っているという不可思議さを観覧者に与えることのできるものであって、仕掛けの糸が観覧者に認識されることが無く、構造が簡単であり且つ操作も簡単に行える箱形の手品具を提供することにある。
【課題を解決するための手段】
【０００７】
上記目的を達成するために、本発明の手品具は、引き出しを収容する開口部が一箇所の本体ケースと、前記引き出し又は前記本体ケースの一箇所に一端が固定された糸とから成り、前記糸が前記本体ケース内からケース外部に出るように構成される。これにより、従来は糸が露出していた開口部が遮蔽した状態となるため、観覧者から糸の存在が視認できなくなる。
【０００８】
また、上記手品具において、前記引き出しの後方壁を、上方向にスライド可能な構造とし、前記後方壁を上方向にずらして当該後方壁の下端に隙間をつくり、この隙間に前記糸の一端を入れた状態で前記後方壁をおろすことにより、当該糸の一端を前記後方壁と前記引き出しの底面とで挟んで固定しても良い。
【０００９】
また、本発明の手品具において、前記引き出しは、予め収納物を収納可能な内側収納ケースと、当該内側収納ケースを収容する外側引き出しケースとから成る二重構造であり、前記外側引き出しケースの後方から前記内側収納ケースをスライドして引き出すことができるよう構成され、前記本体ケースから前記引き出しを開く際に、前記本体ケースの外部からの操作により、前記外側引き出しケースのみを前記本体ケースから引き出す操作、あるいは前記内側収納ケースを収容した状態で外側引き出しケースを前記本体ケースから引き出す操作の何れか一方を実行することができるようにすると良い。
【００１０】
さらに、この手品具において、前記内側収納ケースの後方壁を、上方向にスライド可能な構造とし、前記後方壁を上方向にずらして当該後方壁の下端に隙間をつくり、この隙間に前記糸の一端を入れた状態で前記後方壁をおろすことにより、当該糸の一端を前記後方壁と前記内側収納ケースの底面とで挟んで固定しても良い。
【発明の効果】
【００１１】
本発明の手品具によれば、操作者の手の上で独りでに動き、独りでに立ち上がるのみならず、空の状態であったはずの引き出しが独りでに開くと、その中には何らかの物が入っているという不可思議さを、仕掛けの糸を認識させることなく観覧者に与えることができる。また、手品具から糸を簡単に外すことができるため、手品を行った後に手品具から糸を外し、観覧者にその手品具を確認させることができ、これにより当該手品具に糸の仕掛けがないと観覧者に印象付けることで一層の不可思議さを与えることができる。しかも、仕掛けの糸が観覧者に見える虞が全くなく、構造が簡単であり且つ操作も簡単に行えるため、熟練したテクニックがない子供でも、本発明の手品具を用いて容易に手品を行うことができるといった利点もある。
【発明を実施するための最良の形態】
【００１２】
以下、本発明の手品具の一実施形態について、図面を参照して説明する。
【００１３】
［手品具の構成］
まず、本実施形態の手品具１の構成を図１から図６を参照して説明する。本実施形態の手品具１は、引き出し１０を収容する開口部が一箇所の本体ケース２０と、糸３０（本実施形態では、糸巻き３１に巻き付けられている）とから成る。尚、本実施形態では、引き出し１０が開く側（本体ケースの開口部側）を「前」、閉まる側（本体ケースの開口部の反対側）を「後」と定義することとする。
【００１４】
前記引き出し１０は、図２のように、内側収納ケース１１と、当該内側収納ケース１１を収容する外側引き出しケース１２とから成る二重構造であり、この外側引き出しケース１２の後方から内側収納ケース１１をスライドして引き出すことができるように構成されている。また、前記内側収納ケース１１の後方の壁１３は、図３のように上方向にスライドし、当該後方壁１３の下方が開口するように構成されている。さらに、前記外側引き出しケース１２の底面後端には、後述の如く前記本体ケース２０の凸部２１を押入可能とする底面開口部１４が設けられており、さらに前記内側収納ケース１１の後端下部には、図４のように、後述の前記本体ケース２０の凸部２１と係合する段差壁１５が設けられている。尚、この段差壁１５は、内側収納ケース１１を外側引き出しケース１２に収容した際に当該外側引き出しケース１２の下面より突出しないようなサイズに設定されている。
【００１５】
前記本体ケース２０は、図５のように、図中矢印方向に力が加わることによって底面の後方側が本体ケース２０の内部に向かって押動する構成となっている。また、前記本体ケース２０の内部における底面の後端には、操作者が底面後方側を指で押し上げた際に前記引き出し１０の底面開口部１４に押入する凸部２１が設けられている。
【００１６】
以上のような構成によれば、操作者が本体ケース２０の底面後方側を指で押し上げながら引き出し１０を開けると、前記凸部２１が前記引き出し１０の底面開口部１４に押入して段差壁１５と係合するため、図６（ａ）のように、内側収納ケース１１は本体ケース２０内に残り、外側引き出しケース１２のみが本体ケース２０から引き出されることが可能となる。一方、操作者が底面後方側を指で押し上げることなく引き出し１０を開けると、図６（ｂ）のように、内側収納ケース１１を収容したままの状態で外側引き出しケース１２が本体ケース２０から引き出されることが可能となる。
【００１７】
尚、前記本体ケース２０と糸巻き３１の糸３０の色は、観覧者に糸３０の存在を視認しづらくさせるために同色とする必要があるが、黒色に統一することで、特に観覧者に糸３０の存在を視認しづらくさせることができる。
【００１８】
［手品具の操作手順］
次に、上述のような構成の手品具１を用いた手品の操作手順の一例を、図７から図１３を参照して説明する。
【００１９】
まず手品を始める前に、操作者は、図７のように、引き出し１０における内側収納ケース１１の後方壁１３を上方向にずらして後方壁１３の下端に隙間をつくり、この隙間に糸巻き３１の糸３０の先端を入れ、この後方壁１３をおろして糸３０を挟み込む。またこのとき、この内側収納ケース１１の中に、メッセージの書かれた紙や紙幣などといった物（収納物）を予め収納しておく。そして、このように糸３０を挟み込み且つ収納物を収納した状態の内側収納ケース１１を外側引き出しケース１２の中に収容し、しかる後にこの外側引き出しケース１２を、図８のように本体ケース２０の中に収容する。こうして、引き出し１０の後方壁１３に一端が取り付けられた糸３０は、当該引き出し１０の下を通り、本体ケース２０内から出ている状態となる。
【００２０】
続いて操作者は、例えば図９（ａ）のように糸巻き３１をズボンの中に入れる等して糸３０の他端側を固定し、糸３０が図９（ｂ）のように手の裏側から中指と薬指との間を通して手の表側に出るような状態にして当該本体ケース２０を手の上に置く。このとき、糸３０は手や腕の裏側を通っているため、観覧者には視認されることがない。
【００２１】
そして以上のような状態から、まず操作者は、糸３０の通っている側の手で本体ケース２０の底面後方側を指で押し上げながら図１０のように引き出し１０を開け、その中を観覧者に確認させる。このとき、図６（ａ）の原理により、収納物が予め収納されている内側収納ケース１１は本体ケース２０内に残り、外側引き出しケース１２のみが本体ケース２０から引き出されるため、観覧者は引き出し１０が空の状態であると認識することとなる。
【００２２】
次に操作者は、引き出し１０（実際には外側引き出しケース１２）を閉じ、本体ケース２０を図９（ｂ）のように手の上に載せた状態で、腕を前方に伸ばす、あるいは腰を引くようにして糸３０を引っ張る。すると、糸３０の張力により、本体ケース２０は手の上で前方に向かって動き出す。これにより観覧者は、本体ケース２０が独りでに動き出したかのような不可思議さを感じることとなる。
【００２３】
続いて操作者は、図１１（ａ）のようにその本体ケース２０を少し手の先の方に置き、上述と同様にして糸３０を引っ張ると、糸３０の張力によって本体ケース２０は図１１（ｂ）のように手の上でゆっくりと立ち上がる。これにより観覧者は、本体ケース２０が独りでに立ち上がったかのような不可思議さを感じることとなる。
【００２４】
さらに操作者は、立ち上がった本体ケース２０を図１２（ａ）のように手前に倒すようにして手の上に置き、さらに上述と同様にして糸３０を引っ張ると、糸３０の張力によって図１２（ｂ）のように引き出し１０が開く。このとき、本体ケース２０の底面後方側には押し上げられる力が加わっていないため、図６（ｂ）の原理により、収納物が予め収納されている内側収納ケース１１を収容した状態の外側引き出しケース１２が本体ケース２０から引き出されることとなる。これにより観覧者は、引き出し１０が独りでに開いたかのような不可思議さを感じるのみならず、空の状態であったはずの引き出し１０の中に、収納物が突如出現したという不可思議さをも同時に感じることとなる。
【００２５】
最後に操作者は、図１３のように引き出し１０を本体ケース２０から完全に抜き出し、観覧者に本体ケース２０と引き出し１０とを確認してもらう。このとき、糸３０を強く引くことにより、引き出し１０の後方壁１３から糸３０の一端が外れ、この糸３０はズボンの前に垂れ下がった状態となるため、観覧者は本体ケース２０及び引き出し１０には糸３０のような仕掛けがないと認識することとなる。こうして観覧者は、どのような仕掛けなのかが理解できなくなり、より一層の不可思議さを感じることとなる。
【００２６】
尚、上記実施形態では、図６に示す原理により、外側引き出しケース１２のみを本体ケース２０から引き出したり、あるいは内側収納ケース１１を収容した状態の外側引き出しケース１２を本体ケース２０から引き出したりしているが、操作者が本体ケースの外部から操作を行うことで、外側引き出しケース１２のみを本体ケース２０から引き出したり、あるいは内側収納ケース１１を収容した状態の外側引き出しケース１２を本体ケース２０から引き出したりすることができる構造であれば、その構造を本発明の手品具１に適用することで、空の状態であったはずの引き出し１０の中に、収納物が突如出現したという不可思議さを与えるという効果を奏することが可能となる。
【００２７】
尚、引き出しを二重構造にせず、引き出しの後方壁の下方に糸の一端を固定し、上述と同様に糸を引き出しの下を通して本体ケース内から出しても良い。この場合には、上述の操作を行うことによって、観覧者に糸の存在を認識させることなく、本体ケースが手の上で独りでに動き、立ち上がり、さらに引き出しが独りでに開くという不可思議さを与えることができる。
【００２８】
また、引き出しを二重構造にせず且つ引き出しの後方壁を上方向にスライド可能とする構造とし、糸の一端を上述と同様に引き出しの後方壁の下端に糸を挟み込んで固定し、上述と同様に糸を引き出しの下を通して本体ケース内から出しても良い。この場合には、糸を強く引いて引き出しを本体ケースから完全に抜き出すことにより、観覧者には本体ケース及び引き出しには糸のような仕掛けがないと強く認識させることができ、より一層の不可思議さを感じさせることができる。
【図面の簡単な説明】
【００２９】
【図１】本発明の一実施形態の手品具の構成を示す図である。
【図２】図１の手品具における引き出しの構成を示す斜視図である。
【図３】図１の手品具における引き出しの構成を示す斜視図である。
【図４】本発明の手品具の引き出しの構成を説明するための図であり、図４（ａ）は下から見た図、図４（ｂ）は側面から見た図、図４（ｃ）は内側収納ケースが外側引き出しケースより引き出された状態において側面から見た図である。
【図５】本発明の手品具の本体ケースの構成を説明するための図である。
【図６】本発明の手品具の引き出しの開き方を説明するための図であり、図６（ａ）は外側引き出しケースのみが本体ケースから引き出された状態を示す図、図６（ｂ）は内側収納ケースを収容した状態で外側引き出しケースが引き出された状態を示す図である。
【図７】本発明の手品具への糸の固定の仕方を説明するための図である。
【図８】糸を固定した手品具の状態を示す図である。
【図９】操作者による図８の手品具の持ち方を示す図であり、図９（ａ）は手品具を持つ操作者の図、図９（ｂ）は図９（ａ）における手品具の状態を示す図である。
【図１０】本発明の手品具を用いた手品の際に、操作者が観覧者に引き出しの中を確認させる状態を示す図である。
【図１１】本発明の手品具を用いた手品の際に、本体ケースが独りでに立ち上がる状態を示す図であり、図１１（ａ）は手品具の置き方を示す図、図１１（ｂ）は本体ケースが独りでに立ち上がる状態を示す図である。
【図１２】本発明の手品具を用いた手品の際に、引き出しが独りでに開く状態を示す図であり、図１２（ａ）は手品具の置き方を示す図、図１２（ｂ）は引き出しが独りでに開く状態を示す図である。
【図１３】本発明の手品具を用いた手品の際に、引き出しを本体ケースから完全に取り出した状態を示す図である。
【図１４】従来のマッチ箱を用いた手品を説明するための図である。
【符号の説明】
【００３０】
１…手品具、１０…引き出し、１１…内側収納ケース、１２…外側引き出しケース、１３…後方壁、１４…底面開口部、１５…段差壁、２０…本体ケース、２１…凸部、３０…糸、３１…糸巻き。
【図１】
2005080753.tif 000003
【図２】
2005080753.tif 000004
【図３】
2005080753.tif 000005
【図４】
2005080753.tif 000006
【図５】
2005080753.tif 000007
【図６】
2005080753.tif 000008
【図７】
2005080753.tif 000009
【図８】
2005080753.tif 000010
【図９】
2005080753.tif 000011
【図１０】
2005080753.tif 000012
【図１１】
2005080753.tif 000013
【図１２】
2005080753.tif 000014
【図１３】
2005080753.tif 000015
【図１４】
2005080753.tif 000016